(57)【要約】【課題】擁壁上部に配したプレキャストコンクリート構造体と、擁壁との間の均しモルタルなどの間詰材を覆い隠し、美観を良好に保つ。【解決手段】プレキャストコンクリート製の化粧板８は、ガードレール基礎５などの上部構造体に連結した際、調整（均し）モルタル４を覆い隠せるほどの大きさと有する。挿通孔１１にボルト１２を通し、ナット１３を螺合して連結する。化粧板８に嵌合面２２が形成されていれば、これを基礎５に掛止して連結できる。【選択図】図１
0003126304.tif 000002
【実用新案登録請求の範囲】
【請求項１】
上部構造体の下方に間詰体を介して擁壁が位置し、該上部構造体に用いられる化粧板であって、
前記上部構造体に連結した際に、前記間詰体を覆い隠すことができる大きさの方形に形成し、
一部に前記上部構造体と締結して接続するための挿通孔を形成したことを特徴とする、
化粧板。
【請求項２】
地中に埋設した控え材の一端に接続され、斜面側に設けた擁壁ブロックと、
前記擁壁ブロックの頂部に設けた上部構造体と、
前記擁壁ブロックと上部構造体との間に設けた間詰体とからなる擁壁構造体に用いられる化粧板であって、
前記上部構造体に連結した際に、前記間詰体を覆い隠すことができる大きさの方形に形成し、
一部に前記上部構造体と締結して接続するための挿通孔を形成したことを特徴とする、
化粧板。
【請求項３】
前記上部構造体と接続する背面側には、前記上部構造体に掛止するように突出させて形成した嵌合面を備えることを特徴とする前記請求項１又は２に記載の化粧板。
【請求項４】
地中に埋設した控え材の一端に接続され、斜面側に設けた擁壁ブロックと、
前記擁壁ブロックの頂部に設けた上部構造体と、
前記擁壁ブロックと上部構造体との間に設けた間詰体とからなる擁壁構造体であって、
前記上部構造体の下部表面に、前記請求項１又は請求項２に記載の化粧板を接続したことを特徴とする、
擁壁構造体。
【考案の詳細な説明】
【技術分野】
【０００１】
本考案は、擁壁ブロックやパネルを使用して構築する擁壁に関するものであり、特にその擁壁の上部を覆うように設置して外観を良好にするための化粧板と、その化粧板を使用した擁壁構造体に関するものである。
【背景技術】
【０００２】
道路の一方側が下りの傾斜面であるような場合、その傾斜面を補強して擁壁とすることがある。この傾斜面の補強には、例えばテールアルメ工法が存在する。テールアルメ工法とは、地盤にストリップと呼ばれる金属製の帯材を配置して、盛土とこのストリップとの間で発生する摩擦で土の変形を拘束し、このストリップに連結した擁壁ブロックやパネルによって斜面表面を覆い、傾斜面の崩れを防ぐものである。
【０００３】
一方、このような斜面の上にある道路の斜面側端には、ガードレールを立てるのが通常である。ガードレールは、擁壁よりも上にプレキャストコンクリート製のガードレール基礎を配置し、その基礎にガードレール用支柱を立て、適宜間隔づつ離れた支柱間に道路に沿うガードレールを渡して取付けるものである。
【０００４】
ガードレール基礎を斜面に設けた擁壁の上に設置する場合、擁壁の上に直接ガードレール基礎を設置することは出来ない。例えば擁壁がプレキャストコンクリート製の擁壁パネルであるような場合、天端を道路傾斜に合わせて傾斜させて成形した異形パネルを配する工夫をしているが、加工が難しく、正確に道路傾斜と合わせることが出来なかった。そのため、異形パネルの上に調整（均し）モルタルを盛って、その上にガードレール基礎を配して、道路面と基礎とのレベルを合わせていた。
【０００５】
その他、上記したような異形パネルやブロックを使用しない場合には、天端のパネルやブロックの上に場所打ちコンクリートによる笠石を形成して、この上にガードレール基礎を設置していた。
【０００６】
これまで述べてきた調整モルタルを使用する場合も、場所打ちの笠石を使用する場合も、双方とも擁壁の上部に、モルタルやコンクリートが表出するので、外観の良くない擁壁となっていた。
【特許文献１】特開平５−５３１５号公報
【考案の開示】
【考案が解決しようとする課題】
【０００７】
解決しようとする課題は、擁壁の上部において、ガードレール基礎を設置するために使用する調整モルタルや現場打ち笠木が表出して、美観を損なっていたことである。
【課題を解決するための手段】
【０００８】
本考案は、化粧板として、ガードレール基礎などの上部構造体に連結した際に、調整モルタルなどの間詰体を覆い隠すことができる大きさの方形に形成し、これを上部構造体から垂らすように連結して、擁壁の美観を良好なものに保つものである。
【考案の効果】
【０００９】
本発明は、以上のような課題を解決して、以下のような効果を得ることができる。
<イ>化粧板は、上部構造体であるガードレール基礎などに、その下の間詰体を覆うように取付けが可能であって、擁壁の外観を良好なものとすることが可能である。
<ロ>化粧板には挿通孔が形成されているため、これにボルトなどを通して取付け取り外しが可能で、取付け施工は容易である。
<ハ>化粧板に、上部構造体に掛止するための嵌合面を突出させることによって、この嵌合面を上部構造体に引っ掛けて、その重量をボルトなどに集中させず、化粧板の損傷を少なくさせる。
【考案を実施するための最良の形態】
【００１０】
以下、図に示す本考案を実施するための最良の形態に基づいて、考案を詳細に説明する。
【実施例１】
【００１１】
<１>擁壁
図１乃至図３において、Ａは斜面を保護するための擁壁であって、テールアルメ工法によって構築してある。１は擁壁パネルであって、複数枚を斜面に沿って縦横に積み上げるよう配置して擁壁Ａが組み上げられている。２は斜面を成す盛土であって、この盛土２内にストリップと呼ばれる金属製の控え材３が配してある。控え材３と擁壁パネル１は、ボルト・ナットによって締結して連結されている。盛土２と控え材３との摩擦によって、斜面が崩れないよう補強してある。
【００１２】
<２>異形パネル
擁壁パネル１の天端に位置するのは、上辺が道路傾斜と合わせて加工された異形パネル１ａである。異形パネル１ａは、上辺が加工成形されていると言っても、道路傾斜とぴったり一致することはなく、異形パネル１ａの上に間詰体である調整モルタル４を盛って、道路傾斜と一致させる。
【００１３】
<３>上部構造体
プレキャストコンクリート製のガードレール基礎５を、上部構造体として、調整モルタル４の上に設置する。ガードレール基礎５は、ガードレール支柱を立てるためのもので、図１に示す実施例では、擁壁Ａの表面と面一を成す面に、連続する凹部６が形成されている。この凹部６の底部には、長手方向に適宜間隔空けて、ナット７が埋め込まれている。
【００１４】
<４>化粧板
図において、８はプレキャストコンクリート製の化粧板であって、ガードレール基礎５と向き合う面、つまりは背面９の上辺近傍に、前記基礎の凹部６と調整モルタル４との間に嵌合できる掛止部１０が突出形成されている。この掛止部１０を貫通して、挿通孔１１が形成されている。化粧板８の大きさは、前記した調整モルタル４などの間詰材を覆い隠すほどの充分な大きさを有しており、掛止部１０の連続する方向が長い長方形に形成されている。
【００１５】
<５>化粧板の取付け
化粧板８の挿通孔１１を通したボルト１２を、ガードレール基礎５のナット７に螺合して、化粧板８を取付ける。化粧板８は、背面９を凹部６に嵌合して固定すると、その下の部分が垂れ下がるように取付けられて、間詰材である調整モルタル４を覆い隠す。挿通孔１１にはモルタル１３を詰めて、ボルト１２を隠す。
【実施例２】
【００１６】
<６>笠石の使用
図４及び図５に示すのは、間詰材として現場打ちコンクリートによる笠石１４を形成し、これを覆い隠すように、上部構造体であるガードレール基礎５に化粧板８を使用したものである。
【実施例３】
【００１７】
図６に示すのは、この考案に係る化粧板８の他の実施例を示すものであって、上部構造体であるガードレール基礎５の擁壁Ａ側に表出する面に、化粧板８を沿えて、その挿通孔１１にボルト１２を通して、埋め込み型のナット１５に螺合して固定したものである。
【実施例４】
【００１８】
図７に示すのは、ガードレール基礎５の擁壁Ａ側に表出する面に、凹部１６を形成し、この凹部１６に金属製の添接板１７を取付け、化粧板８の基礎５側にも添接板１８を取付けておく。このふたつの添接板１７・１８に形成した挿通孔１９にボルト２０を通して、ナット２１に螺合して固定したものである。
【実施例５】
【００１９】
図８に示すのは、化粧板８の基礎５側の面に、突出した嵌合面２２を形成しておき、基礎５側には、この嵌合面２２が嵌合する段差２３を形成しておき、嵌合面２２を段差２３に掛止して、ボルト２４・ナット２５によって固定したものである。嵌合面２２を段差２３に掛止することにより、ボルト２４のみによって重量を支えるのではなく、破損し難い。また、化粧板８の重量を一旦段差２３に掛けさせておくことが出来るため、取付け作業が容易である。
【実施例６】
【００２０】
図９に示すのは、化粧板８の基礎５側の面に嵌合面２６を突設してあり、この嵌合面２６を基礎５の擁壁Ａ側の張出し面に載せて引っ掛け、嵌合面２６の上からボルト２７を挿通して、ナット２８に螺合した例である。
【産業上の利用可能性】
【００２１】
路肩の基礎と擁壁との間に詰める間詰体の目隠しだけでなく、様々なプレキャストコンクリート構造物と地盤などとの間に詰める材料の目隠しにも適用できる。
【図面の簡単な説明】
【００２２】
【図１】化粧板を使った擁壁構造体の天端部の斜視図である。
【図２】間詰体を使った擁壁における化粧板使用状態の正面図である。
【図３】図２に示す実施例の断面図である。
【図４】笠石を使った擁壁における化粧板使用状態の正面図である。
【図５】図４に示す実施例の断面図である。
【図６】他の化粧板を使用した場合の断面図である。
【図７】他の化粧板を使用した場合の断面図である。
【図８】他の化粧板を使用した場合の断面図である。
【図９】他の化粧板を使用した場合の断面図である。
【符号の説明】
【００２３】
Ａ：擁壁
１：擁壁パネル
１ａ：異形パネル
２：盛土
３：控え材
４：調整モルタル
５：ガードレール基礎
６：凹部
７：ナット
８：化粧板
９：背面
１０：掛止部
１１：挿通孔
１２：ボルト
１３：ナット
１４：笠石
１５：ナット
１６：凹部
１７：添接板
１８：添接板
１９：挿通孔
２０：ボルト
２１：ナット
２２：嵌合面
２３：段差
２４：ボルト
２５：ナット
２６：嵌合面
２７：ボルト
２８：ナット
【図１】
0003126304.tif 000003
【図２】
0003126304.tif 000004
【図３】
0003126304.tif 000005
【図４】
0003126304.tif 000006
【図５】
0003126304.tif 000007
【図６】
0003126304.tif 000008
【図７】
0003126304.tif 000009
【図８】
0003126304.tif 000010
【図９】
0003126304.tif 000011